(57)【要約】      （修正有）【課題】設置する面積及び空間をコンパクト化することで設置場所の自由度が増すと共に、誤って接触しても怪我などする恐れのない手袋包装箱用ホルダーを提供する。【解決手段】手袋包装箱用ホルダー１０は、不織布・合成樹脂シート等の柔軟性を有する略矩形状の基材１と、基材１の表面に手袋包装箱を収納する袋状の包装箱収納部２と、基材１を壁面等に吊り下げる紐状の吊り下げ手段３ａとを有し、包装箱収納部２には包装箱内部の手袋を取り出す取出口２ｃと、包装箱を抜き差しする開口部２ｄとの構成からなる。【選択図】図１
0003209443.tif 000002
【実用新案登録請求の範囲】
【請求項１】
不織布・合成樹脂シート等の柔軟性を有する略矩形状の基材と、該基材の表面に手袋包装箱を収納する袋状の包装箱収納部と、前記基材を壁面等に吊り下げる吊り下げ手段とを有し、前記包装箱収納部は包装箱内部の手袋を取り出す取出口と、包装箱を抜き差しする開口部とを有することを特徴とする手袋包装箱用ホルダー。
【請求項２】
前記基材の裏面に、帯板状の磁性体を挿脱する袋状の磁性体挿着部を有することを特徴とする、請求項１に記載の手袋包装箱用ホルダー。
【請求項３】
前記磁性体挿着部が、前記包装箱収納部の幅方向の略中心位置に前記包装箱収納部の長さ方向と平行な向きに沿って形成されていることを特徴とする、請求項１乃至請求項２のいずれかに記載の手袋包装箱用ホルダー。
【請求項４】
前記包装箱収納部が複数形成され、該包装箱収納部は互いに隣接し同一方向に形成されていることを特徴とする請求項１乃至請求項３のいずれかに記載の手袋包装箱用ホルダー。
【請求項５】
前記包装箱収納部が透明又は半透明部材で形成されていることを特徴とする請求項１乃至請求項４のいずれかに記載の手袋包装箱用ホルダー。
【請求項６】
前記基材の下端部に、小物を収納可能な袋部を有することを特徴とする請求項１乃至請求項５のいずれかに記載の手袋包装箱用ホルダー。
【考案の詳細な説明】
【技術分野】
【０００１】
本考案は、使い切りタイプの手袋を包装した包装箱を保持固定するホルダーに関するものである。特に、本考案は、医療現場等で衛生性又は抗菌性をより容易に維持するための使い切りタイプの手袋を取り出す方法を提供する。
【背景技術】
【０００２】
従来から、使い切りタイプの手袋は、多種多様な用途に用いられている。例えば、医療関係者によって診察中や手術中などに用いられ、また、食品工場や食品の調理現場においても、食品加工中に用いられる。その使い切りタイプの手袋は、装着者の手を保護する又は、装着者が取り扱う対象物を汚染から防ぐために用いられている。
【０００３】
その使い切りタイプの手袋は、通常多数の手袋が折り重なって紙製の箱に包装されている。さらに、使用時においては、その包装箱の開口部より１枚ずつ抜き取り手に装着するが、抜き取り時にその包装箱が固定されていない場合においては、その手袋をつまんだ手以外のもう一方の手で、包装箱を押さえる必要がある。そのような行為は、感染物質による汚染又は伝播を防止する上で不適切な手順であり問題となる。
【０００４】
そこで、このような問題に対して特許文献１には、オールインワン型の多品種ディスペンサー装置又は構体が開示されている。すなわち、特許文献１に記載の多品種ディスペンサー装置は、使い捨てタイプの手袋等を含む多品種の保護用物品を収納し得る複数のチャンバ（収納部）を有し、一度に多品種の保護用物品を容易に分配できることが開示されている。
【０００５】
また、特許文献２には、壁面などの構造物に固定して、紙製等の箱に包装されている内容物を、片手で取出し可能とするテッシュ箱固定装置（包装箱固定装置）が開示されている。すなわち特許文献２に記載の包装箱固定装置は、構造物へ取り付ける平板状の基体と、その基体側縁部に取り付けられたバー材（金属線材）で構成された包装箱保持部と、その包装箱保持部を閉方向に付勢する付勢部材とからなる、包装箱固定装置が開示されている。
【先行技術文献】
【特許文献】
【０００６】
【特許文献１】特表２００９−５３９４５８号公報
【特許文献２】特開平５−１３２０８６号公報
【考案の概要】
【考案が解決しようとする課題】
【０００７】
しかしながら、上記特許文献１に記載の多品種ディスペンサー装置では、設置に所要の面積及び空間を要し、設置場所が制限される問題があった。すなわち、医療現場においては、処置室、レントゲン室、診察室等各室で使い捨てタイプの手袋が使用されるので、ディスペンサーを各室に設置することが必要であるが、上記多品種ディスペンサーを各部屋に設置する為の面積及び空間を確保するのは、困難であるという問題があった。
【０００８】
そこで、設置する面積及び空間のコンパクト化を目的とした、上記特許文献２に記載の包装箱固定装置が利用されることがある。しかしながら、上記包装箱固定装置は金属部品を多く使用しているために、医療関係者だけでなく、患者が誤って包装箱固定装置に接触して怪我をする恐れもあった。
【０００９】
そこで、本考案は、設置する面積及び空間をコンパクト化することで設置場所の自由度が増し、誤って接触しても怪我などする恐れのない、手袋包装箱用ホルダーを提供することにある。
【課題を解決するための手段】
【００１０】
本考案は、上記目的を達成するために案出されたものである。詳述するならば、不織布・合成樹脂シート等の柔軟性を有する平面的な略矩形状の基材と、該基材の表面に手袋包装箱を収納する所要大きさの袋状からなる包装箱収納部と、前記基材を壁面等に吊り下げる吊り下げ手段とを前記基材上端部に設定し、前記包装箱収納部は、包装箱内部の手袋を取り出す取出口と、包装箱を挿脱する開口部とからなる。
【００１１】
本考案の手袋包装箱用ホルダーは、柔軟性を有する素材を使用し、包装箱収納部は開口部を有する袋状に形成されているので、包装箱を挿脱する作業が非常に簡便となる効果が得られる。また、開口部を有することから、内容物のサイズ等種類の確認が可能となる。
【００１２】
さらに説明すると、本考案には、前記基材の裏面に、帯板状の磁性体を挿脱可能な所要大きさの袋状からなる磁性体挿着部を有する構成が含まれる。
【００１３】
本考案によれば、金属ドア等に吊着すると基材の裏面に磁性体を挿着していることから、金属ドア等への当接力を向上する効果が得られる。
【００１４】
本考案には、前記磁性体挿着部が、前記包装箱収納部の幅方向の略中心位置に前記包装箱収納部の長さ方向と平行な向きに沿って形成されている構成が含まれる。
【００１５】
加えて、本考案の手袋包装箱用ホルダーは、金属ドア等に吊着した状態で、包装箱収納部の取出口と真裏の位置に磁性体が挿着されていることから、手袋を取り出す際の対抗力を有効に利用することができる。
【００１６】
また、本考案には、前記包装箱収納部が複数形成され、該包装箱収納部は互いに隣接し同一方向に形成されている構成が含まれる。
【００１７】
上記の如く、本考案によれば、包装箱を収納状態では包装箱収納部が互いに当接することで、手袋包装箱用ホルダーが張架されると共に、同一方向に開口部を有するので内容物の確認がしやすい効果がある。また、それぞれの包装箱収納部が独立していることから、手袋が無くなったものだけ包装箱を新しいものに交換すれば良いので、包装箱を挿脱する作業が簡便である。
【００１８】
さらに、本考案には、前記包装箱収納部が透明又は半透明部材で形成されている構成が含まれる。
【００１９】
本考案によれば、包装箱収納部が透明又は半透明部材で形成されているので、収納されている内容物のサイズ等が確認できる効果がある。
【００２０】
また、本考案には、前記基材の下端部近傍に、小物を収納可能な袋部を有する構成が含まれる。
【００２１】
本考案によれば、小物を収納可能な袋部を有するので、例えば同時に装着すべきマスク等の配置が可能となり、感染物質による汚染又は伝播を防止する上で効果的である。
【考案の効果】
【００２２】
本考案の手袋包装箱用ホルダーは、処置室、レントゲン室、診察室等のドアやワゴンの側面等、設置場所の自由度が増すと共に、柔軟性を有する材質で形成されているので誤って接触しても怪我などすることがない。また、安価に作製可能であるため汚れた場合には新品に交換すれば良く、感染物質による汚染又は伝播を防止する上でも有効である。
【図面の簡単な説明】
【００２３】
【図１】本考案にかかる手袋包装箱用ホルダーの第一実施形態を示した斜視図である。
【図２】図１に示す手袋包装箱用ホルダーの裏面を示した説明図である。
【図３】手袋包装箱用ホルダーの第二実施形態を示す斜視図である。
【図４】手袋包装箱用ホルダーの他の実施形態を示す斜視図である。
【図５】図１に示す手袋包装箱用ホルダーの使用状態を示す説明図である。
【図６】手袋包装箱用ホルダーの第三実施形態を示す斜視図である。
【図７】図１に示す手袋包装箱用ホルダーの他の使用状態を示す説明図である。
【考案を実施するための形態】
【００２４】
以下、本考案の実施形態を図面を参照しながら説明する。なお、実施形態において、基材１の表面とは包装箱収納部２を有する側の面であり、包装箱収納部の幅方向とは短辺２ａと平行な方向であり、包装箱収納部の長さ方向とは長辺２ｂと平行な方向をいう。
【００２５】
（第１実施形態）
図１に示されるように、本考案の手袋包装箱用ホルダー１０は、略矩形状の基材１と、包装箱収納部２と、基材１を壁面等に吊り下げる吊り下げ手段とからなる。その基材１の表面には、手袋包装箱５を収納した状態で略直方体を成す、袋状の包装箱収納部２を有し、基材１の上端部近傍には壁面等に基材１を吊り下げる紐状の吊り下げ手段３ａとを有する。
【００２６】
その包装箱収納部２には、手袋包装箱５に包装されている手袋６を取り出す取出口２ｃと、手袋包装箱５を抜き差しする開口部２ｄと、開口部２ｄと対向する面に底部２ｆを有する。また、取出口２ｃは、包装箱収納部２と基材１とが接合されている面と対向する面である、前面２ｅの略中央付近で、手袋包装箱５の取出し口５ａと対応する位置に形成されている。
【００２７】
包装箱収納部２を複数形成する場合は、其々の開口部２ｄを同一方向に向け、手袋包装箱５を収納した状態では、開口部２ｄと直角な面であり、基材１とも直角な面である側面２ｇと、隣接する包装箱収納部２の側面２ｇとが、互いに当接する位置に併設されている。
【００２８】
紐状の吊り下げ手段３ａは、基材１の上縁部１ａと左側縁部１ｂとが交わる隅部近傍と、上縁部１ａと右側縁部１ｃとが交わる隅部近傍において、紐状に形成されている。また、同様に基材１の下縁部１ｄと左側縁部１ｂとが交わる隅部近傍と、下縁部１ｄと右側縁部１ｃとが交わる隅部近傍と、左側縁部１ｂの長さ方向の略中央位置と、右側縁部１ｃの長さ方向の略中央位置に形成されている。
【００２９】
図２に示すのは、本考案の手袋包装箱用ホルダー１０の裏面である。手袋包装箱用ホルダー１０の裏面には、帯板状の磁性体（図示せず）を挿脱可能な所要大きさの袋状からなる磁性体挿着部４を有する。磁性体挿着部４には、帯板状の磁性体（図示せず）を挿脱する磁性体用開口部４ａを有する。
【００３０】
その磁性体挿着部４は、包装箱収納部２の幅方向の略中心位置に包装箱収納部の長さ方向と平行な向きに沿って形成されている。また、包装箱収納部２を複数形成する場合は、それぞれに磁性体挿着部４が形成されている。
【００３１】
手袋包装箱用ホルダー１０は、不織布を縫製または接着により形成され、もしくは合成樹脂シートを熱溶着または接着によって形成される。例えば、その不織布は、医療用の滅菌ラップに使用される、ポリプロピレン製の三層構造からなるＳＭＳ不織布を使用することができる。また、合成樹脂シートは、ポリ塩化ビニルやポリエチレン製の軟質シートを使用することができる。
【００３２】
図５は、本実施形態の使用状態を示している。例えば、金属ドア等にフックを取り付け（図示せず）そのフックに、紐状の吊り下げ手段３ａで係止することで固定すると同時に、帯板状の磁性体（図示せず）で金属ドアに固定する。また、縦長の状態で固定すると、開口部２ｄが横向きとなり側面より内容物の種類やサイズ等が確認できる。
【００３３】
図７は、開口部２ｄを上向きにして手袋包装箱用ホルダー１０を固定した使用状態を示している。この場合は上側から内容物の種類やサイズ等が確認できる。医療現場においては、手袋を使用する医療関係者が、適正なサイズの手袋を選択することは大変重要である。そこで、手袋包装箱用ホルダー１０の設置場所によって、開口部２ｄを向ける方向を選択すると内容物の確認が容易にできる効果が得られる。
【００３４】
このように、本実施形態によれば、手袋包装箱５を設置する面積及び空間のコンパクト化ができるばかりか、包装箱収納部２を袋状の形態とすると、開口部２ｄがあり挿脱作業で時間を要さないし、底部２ｆがあるので手加減をしなくとも飛び出すことがなく手袋包装箱５を挿脱する作業が容易となる。更には、磁性体が効果的位置に挿着されていることから、手袋を取り出す際の対抗力を有効に利用することができる。
【００３５】
また、本考案の手袋包装箱用ホルダー１０は、不織布や合成樹脂シート等の素材を利用し、製造コスト特に材料単価を安価におさせることができ、加えて、磁性体は再利用することで運用コストもおさえることができ、例えば、手袋包装箱用ホルダー１０が汚れた場合には、新しいものに交換すれば良く、感染物質による汚染又は伝播を防止する上でも有効である。
【００３６】
（第２実施形態）
図３に示されるように、本実施形態に係る手袋包装箱用ホルダー１０は、包装箱収納部２において、透明又は半透明部材で形成されている前面２ｅを有する。
【００３７】
その前面２ｅの透明又は半透明部材は、ポリ塩化ビニルやポリエチレン製の軟質なシートである合成樹脂シートを使用することができる。また、このような合成樹脂シートは、接着もしくは熱溶着することで、不織布と接合することができる。
【００３８】
このような透明又は半透明部材を使用することで、どちらの方向からでも内容物の種類やサイズ等の確認ができる効果がある。
【００３９】
本実施形態は、包装箱収納部２の前面２ｅを透明又は半透明部材で形成したが、それに限定することは無く、例えば包装箱収納部２の全体を透明又は半透明部材で形成しても良い。
【００４０】
（第３実施形態）
図６に示されるように、本実施形態に係る手袋包装箱用ホルダー１０は、基材１の下端部近傍に、小物を収納可能な袋部７を有する。その袋部７は、基材１の下縁部１ｄを折り返し、その左側縁部１ｂと右側縁部１ｃとを其々基材１に接合し形成する。
【００４１】
このような袋部７を設けることで、小物を手袋と同時に収納可能となるので、例えば同時に装着すべきマスク等の配置及び配布が可能となり、感染物質による汚染又は伝播を防止する上で効果的である。
【００４２】
以上のように、本考案を実施するための最良の構成、方法等は、前記記載で開示されているが、本考案は、これに限定されるものではない。例えば、前記実施形態では、紐状の吊り下げ手段３ａを形成すると説明したが、図４に示すようにリング状の吊り下げ手段３ｂを基材１に形成する等としても良い。
【符号の説明】
【００４３】
１    基材
１ａ  上縁部
１ｂ  左側縁部
１ｃ  右側縁部
１ｄ  下縁部
２    包装箱収納部
２ａ  短辺
２ｂ  長辺
２ｃ  取出口
２ｄ  開口部
２ｅ  前面
２ｆ  底部
２ｇ  側面
３ａ  紐状の吊り下げ手段
３ｂ  リング状の吊り下げ手段
４    磁性体挿着部
４ａ  磁性体用開口部
５    手袋包装箱
５ａ  取出し口
６    手袋
７    袋部
１０  手袋包装箱用ホルダー
【図１】
0003209443.tif 000003
【図２】
0003209443.tif 000004
【図３】
0003209443.tif 000005
【図４】
0003209443.tif 000006
【図５】
0003209443.tif 000007
【図６】
0003209443.tif 000008
【図７】
0003209443.tif 000009